(57)【要約】【課題】左右夫々の足に、既製品の靴から各々適合するサイズを選択することが可能で、しかも、デザイン及び色彩等が左右で異なる片足単位の販売を可能にする靴の販売システムを提供する。【解決手段】複数個の同サイズの靴Ｓを一括陳列する陳列手段と、該陳列手段で一括陳列された靴をレールＬに沿って移動せしめる移動手段とを設ける。陳列手段は、靴Ｓを右足用Ｓ１と左足用Ｓ２とに分けたレールＬで、左右別々に移動陳列する。移動手段は、前記展示具１０を懸吊して商品収納庫１００内から販売室２００まで前記レールＬに沿って移動せしめる搬送装置２０を設ける。各レールＬを商品収納庫１００と販売室２００との間で無端ループ状に設定する。【選択図】図１
2005304766.tif 000002
【特許請求の範囲】
【請求項１】
複数個の同サイズの靴を一括陳列する陳列手段と、該陳列手段で一括陳列された靴をレールに沿って移動せしめる移動手段とを有する靴の販売システムであって、該陳列手段は、靴を右足用と左足用とに分けたレールで、左右別々に移動陳列するように設けたことを特徴とする靴販売システム。
【請求項２】
前記陳列手段は、靴を左右別々に収納展示する展示具と、該展示具から客が選択した靴を取出し載置せしめる取出し棚とを備えた請求項１記載の靴販売システム。
【請求項３】
前記移動手段は、前記展示具を懸吊して商品収納庫内から販売室まで前記レールに沿って移動せしめる搬送装置を有し、各レールを商品収納庫と販売室との間で無端ループ状に設定した請求項１記載の靴販売システム。
【請求項４】
前記移動手段において、前記搬送装置停止時に、商品収納庫内でレールに懸吊された展示具内の靴をそのまま在庫として管理するように設けた請求項１又は３記載の靴販売システム。
【請求項５】
前記展示具は、透明な袋体の内部に靴を収納展示するように設けた請求項１記載の靴販売システム。
【発明の詳細な説明】
【技術分野】
【０００１】
本発明は、一足の靴を左右別々に選択して購入することができる靴販売システムに関する。
【背景技術】
【０００２】
特許文献１に、患足、健足それぞれに対応する靴が提案されている。この特許文献１によると、補装具や治療用足底板等を装着している足や、リウマチ等で足趾の変形があり、市販の靴を履くことができない足のために、患足、健足それぞれ片足ずつの対応ができるようにしたものである。
【０００３】
一方、特許文献２に、顧客足型に適合する靴の製造販売システムが記載されている。この特許文献２には、顧客の足型に適合する靴型の選定と、靴型のデーター及びソフトウエアで靴型製作指示及び製靴指示する靴の製造販売システムが記載されている。
【特許文献１】特開２０００−１０６９０９号公報
【特許文献２】特開２００２−１９９９０５号公報
【発明の開示】
【発明が解決しようとする課題】
【０００４】
特許文献１では、患足、健足それぞれ片足ずつ対応できるようにするため、次のような靴を提案している。すなわち、ソフトで通気性のある布材を使用し軽量化したベルト付き靴であって、靴底はヒールがなくフラット底であること。また滑り止め効果をもたせた滑り止め底であり、踵は足底板や装具の使用に対応できるよう十分な甲皮の深さがあること。トウボックスは補装具使用や足趾の変形にも対応できるよう十分な高さがあり、トウスプリングが十分にあり、甲皮の継ぎ目は甲皮を折り返すと大きな履き口を形成するようにボールラインよりもつまさき側に設けられること。前記ベルトは甲部分にしっかりと止まり甲ラインにフィットするように取り付けられている、といった靴である。
【０００５】
ところが、このような構成にすると、リウマチ等で変形があり、市販の靴を履くことが出来ない特殊な足に適応できるが、その反面、デザイン的な規制が多くなり、一般の靴として使用するには好ましいものではなかった。
【０００６】
また、リウマチ等で足部に変形がない一般の足でも、左右は対象になっていないことが知られている。これは個人差もあるが、例えば、スポーツの選手など、利き足がはっきりしている者は、この利き足が特に発達して左右のバランスが大きく崩れていることが多い。このように左右が非対称形の足でも、一般に販売されているのは左右が対象形状に設けられた一足単位の靴であり、片足ごとに購入することができないのが現状である。
【０００７】
一方、特許文献２に記載されているシステムでは、三次元足型計測器で顧客足型計測データーを計測するもので、顧客足型計測データーで適合若しくは近似する試し履き靴モデルを抽出する。すなわち、試し履きによりフィット性の補正及び顧客の要求特性による補正をなし、この補正データーにより顧客足型カルテを作成し顧客に告知する。そして、顧客足型計測データー並びに顧客足型カルテにより靴型ライブラリーに照会にて適合靴型及びデーター並びにソフトウエアを検索選定する。この適合靴型及びデーター並びにソフトウエアを以って顧客の足型に適合する靴の製造販売システムとなっている。
【０００８】
特許文献２により、顧客の足にあった靴を製造販売することは可能になっているが、このような製造販売は、いわばオーダーメード販売と称する販売形態であり、三次元足型計測器こそ用いていないが、古くから個々の足を採寸して製造することは周知の事実である。このように、個々の足を計測すると、どのような足のサイズでも適応した靴を作ることができるが、足の採寸から完成までに極めて長い時間がかかるので、一般的な店頭販売形式には馴染まない販売形態である。
【０００９】
本発明では、所謂店頭販売形式において、左右夫々の靴を選択可能にするものである。特にファッション業界の極めて自由奔放なデザイン傾向にあっては、これまで奇抜と思われていたデザインでも、すぐに一般化するケースもあり、一足単位で販売するといった固定観念に縛られている必要はない。すなわち、全ての靴のデザインや色彩を左右で統一する必要はなく、使用者の好みに応じて左右で異なったデザインや色彩を販売しても何ら不都合はない。しかも、このように、片足ごとの販売を可能にし、片足ごとの使用が一般化した場合には、例えば、これまで３足の靴は使用時に３種類の選択しかできなかったものが、３×３の９通りもの組み合せで使用することが可能になり、個性をより豊かに発揮できる環境を整えることができる。
【００１０】
そこで本発明は、左右夫々の足に、既製品の靴から各々適合するサイズを選択することが可能で、しかも、デザイン及び色彩等が左右で異なる片足単位の販売を可能にして、豊かな個性を発揮できる環境を整えるべく、これまでにない靴販売システムの提供を目的とするものである。
【課題を解決するための手段】
【００１１】
本発明装置の第１の手段は、複数個の同サイズの靴Ｓを一括陳列する陳列手段と、該陳列手段で一括陳列された靴をレールＬに沿って移動せしめる移動手段とを有する靴Ｓの販売システムであって、該陳列手段は、靴Ｓを右足用Ｓ１と左足用Ｓ２とに分けたレールＬで、左右別々に移動陳列するように設けたことにある。
【００１２】
第２の手段において、前記陳列手段は、靴Ｓを左右別々に収納展示する展示具１０と、該展示具１０から客が選択した靴Ｓを取出し載置せしめる取出し棚３０とを備えたものである。
【００１３】
第３の手段において、前記移動手段は、前記展示具１０を懸吊して商品収納庫１００内から販売室２００まで前記レールＬに沿って移動せしめる搬送装置２０を有し、各レールＬを商品収納庫１００と販売室２００との間で無端ループ状に設定している。
【００１４】
第４の手段の移動手段において、前記搬送装置２０停止時に、商品収納庫１００内でレールＬに懸吊された展示具１０内の靴Ｓをそのまま在庫として管理するように設けている。
【００１５】
第５の手段の前記展示具１０は、透明な袋体１１の内部に靴Ｓを収納展示するように設けたことを課題解消のための手段とするものである。
【発明の効果】
【００１６】
本発明の請求項１により、陳列手段は、右足用Ｓ１と左足用Ｓ２とに分けて陳列販売することができるので、片足単位の販売を可能にした。しかも、片足単位の販売により、従来の靴Ｓ販売時に用いられていた収納箱を用いる必要がなくなり、販売コストを低減すると共に、環境問題にも寄与することができる。
【００１７】
また、請求項２の陳列手段は、展示具１０と取出し棚３０とを有しているので、客は、取出し棚３０の付近まで搬送された展示具１０から好みの靴Ｓを左右別々に選択して取出し棚３０上で吟味することができる。
【００１８】
更に、請求項３の移動手段により、レールＬに懸吊した展示具１０を搬送装置２０で移動し、商品収納庫１００と販売室２００との間で無端ループ状に搬送するので、商品収納庫１００から販売室２００への移送及び展示販売、また、販売室２００から商品収納庫１００への在庫移送を極めて合理的に行うことができる。
【００１９】
また、請求項４により、前記搬送装置２０停止時に、商品収納庫１００内の展示具１０内の靴Ｓを在庫として管理するので、従来用いられていた在庫管理時の収納箱を一切必要とせず、在庫管理を極めて簡略化することができる。
【００２０】
請求項５によると、展示具１０は、透明な袋体１１内部に収納されているので、展示具１０内の靴Ｓは、在庫管理時及び展示状態のいずれの状態でも袋体１１で保護され、靴Ｓの品質を保持することができる。この結果、在庫商品を管理する場合でも従来の靴ケースなどを使用せずに合理的に管理することができる。
【００２１】
このように、本発明によると、左右夫々の足に、既製品の靴から各々適合するサイズを選択することが可能で、しかも、デザイン及び色彩等を左右の足で任意に組み合せることができ、販売時及び在庫管理時に収納箱を用いる必要のない靴の販売システムを提供することができる。
【発明を実施するための最良の形態】
【００２２】
本発明の最良の形態は、複数個の同サイズの靴Ｓを一括陳列する陳列手段と、該陳列手段で一括陳列された靴をレールＬに沿って移動せしめる移動手段とを設ける。各陳列手段は、靴Ｓを右足用Ｓ１と左足用Ｓ２とにレールＬを分けて陳列販売するように設ける。陳列手段に、片足ごとに分けられ、且つ、同サイズごとにまとめた靴Ｓを展示する展示具１０を設ける。移動手段に、展示具１０を懸吊して商品収納庫１００内から前記レールＬに沿って移動せしめる搬送装置２０を設ける。陳列手段に、販売室２００に設置され移動した展示具１０の中から選択した靴Ｓを取出し載置せしめる取出し棚３０を設ける。商品収納庫１００から販売室２００に至るレールＬを無端ループ状に設定する。搬送装置２０停止時に、商品収納庫１００内の展示具１０内の靴Ｓを在庫とし、販売室２００の展示具１０内の靴Ｓを展示商品とするものである。
【実施例】
【００２３】
本発明システムの陳列手段は、複数個の同サイズの靴Ｓを一括陳列する手段である。この陳列手段では、靴Ｓを右足用Ｓ１と左足用Ｓ２とに分けたレールＬで、別々に陳列販売するように設けている。すなわち、靴Ｓを左右別々に分け、且つ、同サイズごとにまとめて展示具１０内に収納し、この展示具１０ごと陳列販売するものである。
【００２４】
図示の展示具１０は、透明な袋体１１をそのまま使用している（図１参照）。また、この袋体１１の内部に靴Ｓの右足用Ｓ１のみ、または左足用Ｓ２のみを夫々見栄え良く収納する枠体を設けることも可能である（図示せず）。
【００２５】
取出し棚３０は、販売室２００に設置されるものである。この取出し棚３０は、展示具１０の中から選択した靴Ｓを取出し載置せしめるもので、レールＬに沿って販売室２００に移動した展示具１０から靴Ｓを取り出してこの取出し棚３０上に載置し、靴Ｓを吟味する。このとき、左右のレールＬの移動速度を等速度に設定する。また、一方のレールＬを停止させたときに、他方のレールＬも同時に停止するように設けることもできる。
【００２６】
本発明の移動手段は、陳列手段で一括陳列された靴をレールＬに沿って移動せしめる手段である。すなわち、この移動手段は、前記展示具１０を懸吊して商品収納庫１００内から販売室２００まで前記レールＬに沿って移動せしめる搬送装置２０が設けられ、該搬送装置２０のレールＬを無端ループ状に設定している（図２参照）。このとき、商品収納庫１００内のレールＬをジグザグ状に配置し、レールＬに懸吊した展示具１０ごと在庫管理できるようにしている。すなわち、搬送装置２０が停止した時に、商品収納庫１００内の展示具１０内の靴Ｓをそののまま在庫として管理するものである。
【００２７】
尚、本発明における図示例の各構成は、本発明の一実施例に過ぎず、展示具１０や搬送装置２０の各構成部材における設計変更など、現在知られている技術範囲で自由に変更することができるものである。
【図面の簡単な説明】
【００２８】
【図１】本発明システムの一実施例を示す要部正面図である。
【図２】本発明システムの一実施例を示す正面図である。
【符号の説明】
【００２９】
Ｌ  レール
Ｓ  靴            Ｓ１  右足用
Ｓ２  左足用
１０  展示具
１１  袋体
２０  搬送装置
３０  取出し棚
１００  商品収納庫
２００  販売室
【図１】
2005304766.tif 000003
【図２】
2005304766.tif 000004